(57)【特許請求の範囲】
【請求項１】
入力された画像データから、そのフレーム内情報を圧縮符号化してなるフレーム内符号化画像データと、そのフレーム間差分情報を圧縮符号化してなるフレーム間符号化画像データとを生成し、所定の順序でディスクに記録する記録手段と、
この記録手段で前記ディスクに記録された前記フレーム内及びフレーム間符号化画像データを読み取り、伸張復号化して元の前記画像データを再生する再生手段とを備えたディスク記録再生装置において、
前記ディスクから前記再生手段により伸張復号化して得られる画像データから、１フレーム分の画像データを選択的に抽出する抽出手段と、
この抽出手段で得られた１フレーム分の画像データに対して、垂直または水平方向にデータ量を削減する削減手段と、
この削減手段でデータ量の削減された１フレーム分の画像データを、複数フレーム分集めて記憶する記憶手段と、
前記記憶手段に記憶された複数フレーム分の画像データのそれぞれを、前記記録手段によって圧縮符号化して、前記ディスクに記録するメニュー画面記録手段とを具備することを特徴とするディスク記録再生装置。
【請求項２】
前記記憶手段に記憶された複数フレーム分の画像データのそれぞれには、各フレームの画像データがそれぞれ属している画像データ群の前記ディスク上における位置を示す第１の情報と、前記記憶手段内での記憶位置を示す第２の情報とが付加されることを特徴とする請求項１記載のディスク記録再生装置。
【請求項３】
前記再生手段は、前記第２の情報が指定されたとき、該第２の情報にリンクする前記第１の情報に基づいて、前記ディスクから再生する画像データ群を検索することを特徴とする請求項２記載のディスク記録再生装置。
【発明の詳細な説明】
【０００１】
【発明の属する技術分野】
この発明は、デジタル化された画像データに高能率圧縮符号化処理を施して光ディスクに記録するとともに、光ディスクから読み取った信号に伸張処理を施して元の画像データを再生するディスク記録再生装置の改良に関する。
【０００２】
【従来の技術】
周知のように、近年では、例えば音声用のＣＤ（Compact Disk）と同じ直径１２ｃｍの光ディスクに、音声データだけでなく画像データも高能率圧縮符号化処理を施して記録することができるようになっている。この種の光ディスクとしては、例えばデータ読み出し専用のＣＤ−ＲＯＭ（Read Only Memory）や、データの書き替えが可能なＣＤ−Ｅ（Erasable）等が用意されており、教育用から情報用に至るまで、幅広い分野に渡って普及してきている。
【０００３】
また、現在では、ＣＤと同径の光ディスクに、約２時間分の映画に対応する画像データと、それに対応する８種類の異なる言語の音声データと、３２種類の異なる言語の字幕等を表わす副映像データとが高密度記録された、通称ＤＶＤと称される光ディスクも開発されている。そして、このＤＶＤにおいても、ＣＤと同様に、ＤＶＤ−ＲＯＭやＤＶＤ−ＲＡＭ（Random Access Memory）として用いるための開発が盛んに推進されてきている。
【０００４】
図７は、上記したＣＤ−ＥやＤＶＤ−ＲＡＭ等のようにデータの記録再生が可能な光ディスクに対して、画像データや音声データの記録再生を行なうためのディスク記録再生装置の構成を示している。すなわち、図７において、符号１１は光ディスクである。この光ディスク１１は、ディスクモータ１２によって回転駆動されるようになっている。
【０００５】
また、この光ディスク１１の信号記録面に対向して、光ヘッド１３が配置されている。この光ヘッド１３は、光ディスク１１の信号記録面に対してレーザ光を照射することにより、光ディスク１１へのデータの書き込み及び光ディスク１１からのデータの読み取りを選択的に行なうもので、光ディスク１１の径方向に移動可能となるように支持されている。
【０００６】
ここで、まず、再生動作について説明する。上記光ヘッド１３によって光ディスク１１から読み取られたデータは、変復調・エラー訂正処理部１４に供給される。この変復調・エラー訂正処理部１４は、トラックバッファメモリ１５を用いて、光ヘッド１３から入力されたデータに復調処理及びエラー訂正処理を施している。
【０００７】
そして、この変復調・エラー訂正処理部１４から出力されるデータのうち画像データは、ＭＰＥＧ（Moving Picture Image Coding Experts Group ）エンコーダデコーダ１６に供給される。このＭＰＥＧエンコーダデコーダ１６は、フレームメモリ１７を用いて、変復調・エラー訂正処理部１４から供給される画像データにＭＰＥＧデコード処理を施している。
【０００８】
その後、このＭＰＥＧエンコーダデコーダ１６から得られる画像データは、ビデオエンコーダデコーダ１８に供給されてビデオデコード処理が施され、出力端子１９から取り出される。また、上記変復調・エラー訂正処理部１４から出力されるデータのうち音声データは、オーディオエンコーダデコーダ２０に供給されてオーディオデコード処理が施され、出力端子２１から取り出される。
【０００９】
次に、記録動作について説明する。まず、入力端子２２に供給された画像データは、ビデオエンコーダデコーダ１８に供給されてビデオエンコード処理が施された後、ＭＰＥＧエンコーダデコーダ１６に供給される。このＭＰＥＧエンコーダデコーダ１６は、フレームメモリ１７を用いて、ビデオエンコーダデコーダ１８から供給される画像データにＭＰＥＧエンコード処理を施している。
【００１０】
また、入力端子２３に供給された音声データは、オーディオエンコーダデコーダ２０に供給されてオーディオエンコード処理が施される。そして、上記ＭＰＥＧエンコーダデコーダ１６から出力された画像データと、オーディオエンコーダデコーダ２０から出力された音声データとは、変復調・エラー訂正処理部１４に供給される。
【００１１】
この変復調・エラー訂正処理部１４は、フレームメモリ１７を用いて、入力された画像データと音声データとに記録のための変調処理及びエラー訂正符号付加処理を施している。そして、この変復調・エラー訂正処理部１４から出力されたデータが、光ヘッド１３を介して光ディスク１１に記録される。
【００１２】
なお、上記ディスクモータ１２，変復調・エラー訂正処理部１４，ＭＰＥＧエンコーダデコーダ１６，ビデオエンコーダデコーダ１８及びオーディオエンコーダデコーダ２０は、ＭＰＵ（Micro Processing Unit ）２４によって、その動作が制御されている。
【００１３】
図８は、ＭＰＥＧによる画像データの符号化方式を示している。すなわち、ＭＰＥＧでは、画像データの１シーケンスを、複数のフレーム（ピクチャ）で構成されるＧＯＰ（Group Of Picture）に分割して符号化を行なっている。このＧＯＰは、時間的な差の情報を持たずに、そのフレームだけで１画面分の情報を持つＩ（Intra coded ）ピクチャ（フレーム内符号化画像）と、このＩピクチャに動き等の時間的変化のある情報を加えたもので、時間的に前のフレームから予測して生成されるＰ（Preductive coded）ピクチャ（フレーム間符号化画像）と、時間的に前後にある２フレームから予測して生成されるＢ（Bi-derectionally coded）ピクチャ（フレーム間符号化画像）との組み合わせで構成されている。
【００１４】
そして、上記ＭＰＥＧエンコーダデコーダ１６では、再生時に、変復調・エラー訂正処理部１４から出力された図８に示す形態の画像データにＭＰＥＧデコード処理を施して、通常のシーケンスの画像データに変換し、また、記録時に、上記ビデオエンコーダデコーダ２０から出力される通常のシーケンスの画像データにＭＰＥＧエンコード処理を施して、図８に示す形態の画像データに変換している。
【００１５】
図９は、上記ＭＰＥＧエンコーダデコーダ１６におけるＭＰＥＧエンコード処理を行なう部分の構成を示している。図９において、符号２５は入力端子で、上記ビデオエンコーダデコーダ２０から出力される通常のシーケンスの画像データが供給されている。この入力端子２５に供給された画像データは、減算回路２６に供給されて、スイッチ２７によって選択された信号が減算される。
【００１６】
まず、Ｉピクチャを生成する場合には、入力端子２５に供給された画像データから接地レベル（０）が減算される。つまり、入力端子２５に供給された画像データは、何も減算されずに、ＤＣＴ（Discrete Cosine Transform ）回路２８でＤＣＴ演算処理が施され、量子化回路２９で量子化処理が施されることにより、Ｉピクチャの画像データが生成される。このＩピクチャの画像データは、出力端子３０を介して前記変復調・エラー訂正処理部１４に出力される。
【００１７】
また、上記量子化回路２９から出力されたＩピクチャの画像データは、逆量子化回路３１により逆量子化処理が施され、逆ＤＣＴ回路３２により逆ＤＣＴ演算処理が施されることにより、元の画像データに戻される。そして、この逆ＤＣＴ回路３２から出力される画像データは、加算回路３３で接地レベル（０）が加算されて、つまり何も加算されることなく、スイッチ３４を介して予測メモリ３５に書き込まれる。
【００１８】
次に、Ｐピクチャを生成する場合には、減算回路２６により、入力端子２５に供給された画像データから、予測メモリ３５に書き込まれた画像データ（Ｉピクチャ対応）が減算される。そして、この減算回路２６から出力される差分データにＤＣＴ処理及び量子化処理が施されることにより、Ｐピクチャの画像データが生成される。また、このＰピクチャの画像データは、逆量子化処理及び逆ＤＣＴ処理が施された後、予測メモリ３５に書き込まれた画像データが加算され、スイッチ３４を介して予測メモリ３６に書き込まれる。
【００１９】
さらに、Ｂピクチャを生成する場合には、平均値算出回路３７により、予測メモリ３５に書き込まれた画像データ（Ｉピクチャ対応）と、予測メモリ３６に書き込まれた画像データ（Ｐピクチャ対応）との平均値を算出し、この算出された平均値を入力端子２５に供給された画像データから減算する。そして、この減算回路２６から出力される差分データにＤＣＴ処理及び量子化処理が施されることにより、Ｂピクチャが生成される。
【００２０】
図１０は、上記ＭＰＥＧエンコーダデコーダ１６におけるＭＰＥＧデコード処理を行なう部分の構成を示している。図１０において、符号３８は入力端子で、上記変復調・エラー訂正処理部１４から出力されるＩ，Ｐ，Ｂピクチャの画像データが選択的に供給されている。そして、入力端子３８に供給された画像データは、逆量子化回路３９により逆量子化処理が施され、逆ＤＣＴ回路４０により逆ＤＣＴ演算処理が施された後、加算回路４１に供給されて、スイッチ４２によって選択された信号が加算される。
【００２１】
まず、入力端子３８にＩピクチャの画像データが供給された場合、その画像データは、逆量子化処理及び逆ＤＣＴ演算処理された後、接地レベル（０）が加算される。つまり、逆ＤＣＴ演算処理後の画像データは、何も加算されずに、スイッチ４３を介して予測メモリ４４に一旦書き込まれた後読み出される。そして、この予測メモリ４４から読み出された画像データが、スイッチ４５及び出力端子４６を介して前記ビデオエンコーダデコーダ１８に供給される。
【００２２】
また、入力端子３８にＰピクチャの画像データが供給された場合、その画像データは、逆量子化処理及び逆ＤＣＴ演算処理された後、予測メモリ４４に書き込まれた画像データ（Ｉピクチャ対応）が加算される。そして、この加算回路４１から出力される画像データが、スイッチ４３，予測メモリ４７及びスイッチ４５を介して出力端子４６から取り出される。
【００２３】
さらに、入力端子３８にＢピクチャの画像データが供給された場合、その画像データは、逆量子化処理及び逆ＤＣＴ演算処理された後、平均値算出回路４８により算出される、予測メモリ４４に書き込まれた画像データ（Ｉピクチャ対応）と、予測メモリ４７に書き込まれた画像データ（Ｐピクチャ対応）との平均値が加算され、スイッチ４５を介して出力端子４６から取り出される。
【００２４】
なお、上記した予測メモリ３５，３６には、Ｉピクチャ対応の画像データとＰピクチャ対応の画像データとが、交互に書き込まれるように制御されている。また、上記した予測メモリ４４，４７には、Ｉピクチャ対応の画像データとＰピクチャ対応の画像データとが、交互に書き込まれるように制御されている。
【００２５】
【発明が解決しようとする課題】
ところで、上記のようなディスク記録再生装置においては、使用者が光ディスク１１に記録した内容を、自らが容易に管理し得るようにすることが、実用化に際して非常に重要なこととなる。特に、記録した内容が多種類に渡るような場合には、その光ディスク１１に記録されている全ての内容を容易に把握することができ、しかも必要な内容を直ちに取り出すことができれば、実用上非常に有効なこととなる。
【００２６】
しかしながら、従来では、例えば、使用者が、光ディスク１１に記録された内容のタイトル等をメモ用紙に書き込み、そのメモ用紙を光ディスク１１とともにディスクケースに収容しておくという程度の管理手法しかとられておらず、光ディスク１１の記録内容の管理が積極的になされていないというのが現状である。このため、光ディスク１１の記録内容を使用者が容易に把握することができ、その結果、必要な内容を取り出すことも可能となるような管理手段の開発が強く要望されている。
【００２７】
そこで、この発明は上記事情を考慮してなされたもので、ディスクの記録内容を使用者が容易に管理することを可能として、より一層実用に供し得るようにした極めて良好なディスク記録再生装置を提供することを目的とする。
【００２８】
【課題を解決するための手段】
この発明に係るディスク記録再生装置は、入力された画像データから、そのフレーム内情報を圧縮符号化してなるフレーム内符号化画像データと、そのフレーム間差分情報を圧縮符号化してなるフレーム間符号化画像データとを生成し、所定の順序でディスクに記録する記録手段と、この記録手段でディスクに記録されたフレーム内及びフレーム間符号化画像データを読み取り、伸張復号化して元の画像データを再生する再生手段とを備えたものを対象としている。
【００２９】
そして、ディスクから再生手段により伸張復号化して得られる画像データから、１フレーム分の画像データを選択的に抽出する抽出手段と、この抽出手段で得られた１フレーム分の画像データに対して、垂直または水平方向にデータ量を削減する削減手段と、この削減手段でデータ量の削減された１フレーム分の画像データを、複数フレーム分集めて記憶する記憶手段と、記憶手段に記憶された複数フレーム分の画像データそれぞれを、記録手段によって圧縮符号化して、ディスクに記録するメニュー画面記録手段とを備えるようにしたものである。
【００３０】
上記のような構成によれば、使用者がディスクに記録された画像データに基づいて、自由にタイトルメニュー画面を作成することができるので、ディスクの記録内容を容易に管理することが可能となり、実用に供するものとなる。
【００３１】
【発明の実施の形態】
以下、この発明の実施の形態について図面を参照して詳細に説明する。まず、図１は、前記ＭＰＥＧエンコーダデコーダ１６におけるＭＰＥＧエンコード処理を行なう部分の構成を示すもので、図９と同一部分には同一符号を付して示している。
【００３２】
すなわち、前記予測メモリ３５は、それぞれが１フレーム分の画像データを記録する容量を有する２つの記録領域３５ａ，３５ｂに分割されており、入力端子２５に供給された画像データをＩ，Ｐ，Ｂピクチャの画像データに変換する場合には、この２つの予測メモリ３５ａ，３５ｂが使用される。
【００３３】
まず、Ｉピクチャを生成する場合、入力端子２５に供給された画像データは、何も減算されることなく、ＤＣＴ演算処理及び量子化処理が施されることによって、Ｉピクチャの画像データに変換される。このＩピクチャの画像データは、逆量子化処理及び逆ＤＣＴ演算処理が施されて元の画像データに戻された後、何も加算されることなく、スイッチ３４，４９を介して予測メモリ３５ａに書き込まれる。
【００３４】
次に、Ｐピクチャを生成する場合には、予測メモリ３５ａに書き込まれた画像データ（Ｉピクチャ対応）が、スイッチ５０，２７を介して減算回路２６に導かれ、入力端子２５に供給された画像データから減算される。そして、この減算回路２６から出力される差分データにＤＣＴ処理及び量子化処理が施されることにより、Ｐピクチャの画像データが生成される。また、このＰピクチャの画像データは、逆量子化処理及び逆ＤＣＴ処理が施された後、予測メモリ３５ａに書き込まれた画像データ（Ｉピクチャ対応）が加算され、スイッチ３４，４９を介して予測メモリ３５ｂに書き込まれる。
【００３５】
さらに、Ｂピクチャを生成する場合には、スイッチ５０，５１により、予測メモリ３５ａ，３５ｂに書き込まれた各画像データ（Ｉ，Ｐピクチャ対応）を平均値算出回路３７に導いてその平均値を算出し、この算出された平均値を入力端子２５に供給された画像データから減算する。そして、この減算回路２６から出力される差分データにＤＣＴ処理及び量子化処理が施されることにより、Ｂピクチャの画像データが生成される。
【００３６】
次に、図２は、上記ＭＰＥＧエンコーダデコーダ１６におけるＭＰＥＧデコード処理を行なう部分の構成を示すもので、図１０と同一部分には同一符号を付して示している。すなわち、前記予測メモリ４４は、それぞれが１フレーム分の画像データを記録する容量を有する２つの記録領域４４ａ，４４ｂに分割されており、入力端子３８に供給されたＩ，Ｐ，Ｂピクチャの画像データを元の画像データに変換する場合には、この２つの予測メモリ４４ａ，４４ｂが使用される。
【００３７】
まず、入力端子３８にＩピクチャの画像データが供給されると、その画像データは、逆量子化処理及び逆ＤＣＴ演算処理が施された後、何も加算されることなく、スイッチ４３，５２を介して予測メモリ４４ａに一旦書き込まれた後読み出される。そして、この予測メモリ４４ａから読み出された画像データが、スイッチ５３，４５及び出力端子４６を介して前記ビデオエンコーダデコーダ１８に供給される。
【００３８】
また、入力端子３８にＰピクチャの画像データが供給された場合、その画像データは、逆量子化処理及び逆ＤＣＴ演算処理が施された後、予測メモリ４４ａに書き込まれた画像データ（Ｉピクチャ対応）が加算される。そして、この加算回路４１から出力される画像データが、スイッチ４３，５２，予測メモリ４４ｂ及びスイッチ５４，４５を介して出力端子４６から取り出される。
【００３９】
さらに、入力端子３８にＢピクチャの画像データが供給された場合、その画像データは、逆量子化処理及び逆ＤＣＴ演算処理が施された後、平均値算出回路４８で算出されるところの、予測メモリ４４ａに書き込まれた画像データ（Ｉピクチャ対応）と、予測メモリ４４ｂに書き込まれた画像データ（Ｐピクチャ対応）との平均値が加算された後、スイッチ４５を介して出力端子４６から取り出される。
【００４０】
なお、上記予測メモリ３５ａ，３５ｂには、Ｉピクチャ対応の画像データとＰピクチャ対応の画像データとが、交互に書き込まれるように制御されている。また、上記予測メモリ４４ａ，４４ｂにも、Ｉピクチャ対応の画像データとＰピクチャ対応の画像データとが、交互に書き込まれるように制御されている。
【００４１】
ここで、図１に示した予測メモリ３６と図２に示した予測メモリ４７とは、それぞれ、使用者が光ディスク１１に記録した内容を把握するためのタイトルメニュー画面を生成するために使用される。すなわち、使用者が、光ディスク１１を再生してタイトルメニュー画面に掲載したい画像（静止画）を検索すると、その画面に対応するＩピクチャの画像データが、図２に示したＭＰＥＧデコーダで逆量子化処理及び逆ＤＣＴ演算処理が施され、スイッチ４３，５２を介して予測メモリ４４ａまたは４４ｂに一旦書き込まれた後読み出される。
【００４２】
そして、この予測メモリ４４ａまたは４４ｂから読み出された画像データは、スイッチ５３または５４からスイッチ４５を経てプリフィルタ５６に導かれることによりプリフィルタリング処理が施され、さらに、サブサンプリング回路５７によるサブサンプリング処理が施されて、垂直及び水平方向のデータ量が減少された後、スイッチ５５を介して予測メモリ４７に書き込まれる。
【００４３】
以上の動作が、タイトルメニュー画面に掲載したい画像（静止画）の数だけ繰り返される。この場合、プリフィルタリング処理及びサブサンプリング処理により垂直及び水平方向のデータ量が削減された各画像データは、予測メモリ４７内に予め設定された複数の記憶領域にそれぞれ書き込まれるようになり、ここに、タイトルメニュー画面の画像データが生成される。
【００４４】
その後、この予測メモリ４７内に生成されたタイトルメニュー画面の画像データは、図１に示したＭＰＥＧエンコーダでＤＣＴ処理及び量子化処理が施されることにより圧縮され、例えばタイトルメニュー画面とその本篇となる内容の記録位置とを関連付けるリンク情報等とともに光ディスク１１に書き込まれる。
【００４５】
図３は、上記したタイトルメニュー画面の生成動作をまとめたフローチャートを示している。まず、開始（ステップＳ１）され、ステップＳ２でタイトル指定が行なわれると、ステップＳ３でタイトルデータの再生が行なわれ、ステップＳ４でデータの復調やエラー訂正処理が行なわれ、ステップＳ５でピクチャ再生が行なわれる。
【００４６】
そして、ステップＳ６で使用者がタイトルメニュー画面に掲載を希望するか否かが判別され、タイトルメニュー画面に掲載を希望しない場合（ＮＯ）、ステップＳ３の処理に戻される。また、使用者がタイトルメニュー画面に掲載を希望した場合（ＹＥＳ）には、ステップＳ７で予測メモリ４４ａまたは４４ｂからフレーム画像データが読み出され、ステップＳ８でプリフィルタリング処理及びサブサンプリング処理が行なってデータ量を減少させた後、ステップＳ９で予測メモリ４７に書き込まれる。
【００４７】
その後、ステップＳ１０でタイトルの画像データと前記ＭＰＵ２４とのリンク情報を作成し、ステップＳ１１で次のタイトルを再生するか否かを判別し、再生する場合（ＹＥＳ）には、ステップＳ２の処理に戻される。また、次のタイトルメニュー画面を再生しない場合（ＮＯ）には、ステップＳ１２で予測メモリ４７に記録された画像データにＤＣＴ処理及び量子化処理を施して圧縮し、ステップＳ１３で光ディスクにその圧縮されたメニュー画面の画像データとリンク情報とを書き込み、終了（ステップＳ１４）される。
【００４８】
図４は、タイトルメニュー画面の一例を示している。図４において、符号Ａ〜Ｆは、それぞれ使用者がタイトルメニュー画面に掲載することを希望したフレーム画像データに、プリフィルタリング処理及びサブサンプリング処理を施した画面を示している。この例の場合、６つのタイトル画面Ａ〜Ｆが表示されていることになる。
【００４９】
次に、使用者がタイトルメニュー画面に掲載することを希望したタイトル画面を、メニュー画面内に配置し、このメニューが面からタイトルを再生する手段について説明する。このメニュー内の配置は、タイトル画面の画像データを、予測メモリ４７の記憶領域に書き込む際の配置に対応している。
【００５０】
すなわち、図５に示すように、メニュー画面を破線で示す６つのエリアに分割しておき、例えばタイトル画面Ａを表示させる領域として、座標（Ｘ０，Ｙ０）と座標（Ｘ１，Ｙ１）とを指定することにより、両座標で示される２点を対角とする四角形内が、タイトル画面Ａの表示エリアとなるようにしている。
【００５１】
また、図６に示すように、タイトル画面Ａを表示させる領域として、座標（Ｘ１，Ｙ１）と座標（Ｘ２，Ｙ２）とを指定することにより、両座標で示される２点を対角とする四角形が、そのままタイトル画面Ａの表示エリアとなるようにしてもよい。この場合には、タイトル画面に付随するタイトル名の表示エリアも、２つの座標を指定することにより、両座標で示される２点を対角とする四角形として確保することができる。
【００５２】
なお、空間的エリアを指定するデータの記述方法としては、上記の手法に限定されるものではない。例えばタイトル画面の中心点の座標（Ｘ，Ｙ）と中心点からＸ方向及びＹ方向のエリア境界までの距離とを用いてもエリアを指定することはでき、要するに、２次元空間上のあるエリアを指定することができる情報であればよいことになる。
【００５３】
また、タイトルメニュー画面上の位置を予め番号に対応するように定めておいて、使用者に番号を指定させることによりタイトル画面の表示位置を設定する手法も考えられる。この場合、番号とタイトルとをリンクさせる。
【００５４】
ここで、タイトル画面とその本篇となる内容の記録位置とを関連付けるリンク情報としては、タイトル画面で指定される内容を初めから再生するための光ディスク１１上のアドレス、タイトル画面のフレームを含むＧＯＰから再生するための光ディスク１１上のアドレス、タイトル画面のフレームを含むＮＡＶ−ＰＡＣＫから再生するための光ディスク１１上のアドレス等が考えられる。
【００５５】
そして、ディスク記録再生装置の操作部またはリモートコントローラを操作することにより、例えばタイトルメニュー画面でタイトル画面Ａが表示されているエリアを選択すると、タイトルメニュー画面の付加情報（ヘッダ）により、選択されたエリアに入っているのはタイトル画面Ａであることが認識されるので、リンク情報からこのタイトル画面Ａの本篇の開始アドレスを読み出し、光ヘッド１３をそのアドレスに移動させてタイトル画面Ａの内容を再生させる。
【００５６】
上記した実施の形態によれば、使用者が光ディスク１１に記録された画像データに基づいて、自由にタイトルメニュー画面を作成することができるので、光ディスク１１の記録内容を使用者が容易に管理することが可能となり、より一層実用に供するものとなる。
なお、この発明は上記した実施の形態に限定されるものではなく、この外その要旨を逸脱しない範囲で種々変形して実施することができる。
【００５７】
【発明の効果】
以上詳述したようにこの発明によれば、ディスクの記録内容を使用者が容易に管理することを可能として、より一層実用に供し得るようにした極めて良好なディスク記録再生装置を提供することができる。
【図面の簡単な説明】
【図１】この発明に係るディスク記録再生装置の実施の形態を示すもので、ＭＰＥＧエンコーダを示すブロック構成図。
【図２】同実施の形態におけるＭＰＥＧデコーダを示すブロック構成図。
【図３】同実施の形態におけるタイトルメニュー画面の生成動作を説明するために示すフローチャート。
【図４】同タイトルメニュー画面の一例を示す図。
【図５】同タイトルメニュー画面内にタイトル画面を配置する手段の一例を説明するために示す図。
【図６】同タイトルメニュー画面内にタイトル画面を配置する手段の他の例を説明するために示す図。
【図７】従来のディスク記録再生装置を示すブロック構成図。
【図８】ＭＰＥＧによる画像データの符号化方式を説明するために示す図。
【図９】同従来装置におけるＭＰＥＧエンコーダを示すブロック構成図。
【図１０】同従来装置におけるＭＰＥＧデコーダを示すブロック構成図。
【符号の説明】
１１…光ディスク、
１２…ディスクモータ、
１３…光ヘッド、
１４…変復調・エラー訂正処理部、
１５…トラックバッファメモリ、
１６…ＭＰＥＧエンコーダデコーダ、
１７…フレームメモリ、
１８…ビデオエンコーダデコーダ、
１９…出力端子、
２０…オーディオエンコーダデコーダ、
２１…出力端子、
２２，２３…入力端子、
２４…ＭＰＵ、
２５…入力端子、
２６…減算回路、
２７…スイッチ、
２８…ＤＣＴ回路、
２９…量子化回路、
３０…出力端子、
３１…逆量子化回路、
３２…逆ＤＣＴ回路、
３３…加算回路、
３４…スイッチ、
３５，３６…予測メモリ、
３７…平均値算出回路、
３８…入力端子、
３９…逆量子化回路、
４０…逆ＤＣＴ回路、
４１…加算回路、
４２，４３…スイッチ、
４４…予測メモリ、
４５…スイッチ、
４６…出力端子、
４７…予測メモリ、
４８…平均値算出回路、
４９〜５５…スイッチ、
５６…プリフィルタ、
５７…サブサンプリング回路。
【図１】
0003910682.tif 000002
【図２】
0003910682.tif 000003
【図３】
0003910682.tif 000004
【図４】
0003910682.tif 000005
【図５】
0003910682.tif 000006
【図６】
0003910682.tif 000007
【図７】
0003910682.tif 000008
【図８】
0003910682.tif 000009
【図９】
0003910682.tif 000010
【図１０】
0003910682.tif 000011